(57)【特許請求の範囲】
【請求項１】
柱及び大梁からなる構造部を有する建物本体と、
前記建物本体から屋外側に張り出すように設けられる袖壁部と、
同じく前記建物本体から屋外側に張り出すように設けられる張出屋根部と、
を備え、前記張出屋根部が、前記袖壁部に連続しかつ前記袖壁部の側面のうち一側面から延びるように設けられている建物の張出構造であって、
前記張出屋根部は、前記構造部に対して片持ち状態で連結される屋根フレームを有し、この屋根フレームにより前記張出屋根部が支えられており、
前記袖壁部において、袖壁面材が取り付けられる下地となる袖壁フレームは、その上下方向において前記張出屋根部に連続する高さに設けられる上フレーム部と、その上フレーム部の下側に設けられる下フレーム部とを有しており、
前記屋根フレームに対して前記上フレーム部及び前記下フレーム部のいずれかが連結されており、
前記袖壁フレームにおいて、前記袖壁部の各側面のうち張出屋根部側の側面には、前記下フレーム部の上下方向の寸法に応じた縦寸法を有する前記袖壁面材が取り付けられるとともに、張出屋根部側でない側面には、前記上フレーム部及び前記下フレーム部の上下方向の寸法に応じた縦寸法を有する前記袖壁面材が取り付けられていることを特徴とする建物の張出構造。
【請求項２】
前記屋根フレームは、前記構造部における柱の仕口部分に片持ち状態で連結されていることを特徴とする請求項１に記載の建物の張出構造。
【請求項３】
前記下フレーム部の上面部が前記屋根フレームに連結されることで、前記袖壁フレームが前記建物本体に対して固定されていることを特徴とする請求項２に記載の建物の張出構造。
【請求項４】
前記上フレーム部及び前記下フレーム部のいずれかには、当該フレーム部を前記屋根フレームに対して連結する連結部材が設けられており、
前記屋根フレームと前記連結部材とにそれぞれ挿通孔が形成され、その挿通孔に固定具が挿通されて前記屋根フレームに対して前記上フレーム部及び前記下フレーム部のいずれかが連結されており、
前記屋根フレーム及び前記連結部材の各挿通孔のうち少なくとも一方は、前記屋根フレームの張出方向が長手方向となる長孔となっていることを特徴とする請求項１乃至３のいずれか一項に記載の建物の張出構造。
【請求項５】
前記屋根フレームは、前記構造部から延びる一対の片持ち梁と、これら一対の片持ち梁の間に配置され、各片持ち梁の先端部に各々連結される連結梁とを有し、
前記一対の片持ち梁のうち一方の片持ち梁側に前記袖壁部が設けられているのに対し、他方の片持ち梁側には前記袖壁部が設けられていないことを特徴とする請求項１乃至４のいずれか一項に記載の建物の張出構造。
【請求項６】
前記建物の屋根部は陸屋根であり、その陸屋根の一部として前記張出屋根部が設けられており、
前記陸屋根の周縁部に上方に突出してパラペットが設けられており、
前記上フレーム部は、前記パラペットの下地になるパラペット下地部を有していることを特徴とする請求項１乃至５のいずれか一項に記載の建物の張出構造。
【請求項７】
前記建物本体は、複数の柱と、その柱の上下両端に連結された大梁とを有してなる複数の建物ユニットにより構成され、
前記袖壁部と前記張出屋根部とは、前記建物ユニットから屋外側に張り出すように設けられており、
前記屋根フレームは、前記建物ユニットの柱及び大梁のいずれかに片持ち状態で連結されていることを特徴とする請求項１乃至６のいずれか一項に記載の建物の張出構造。
【発明の詳細な説明】
【技術分野】
【０００１】
本発明は、建物本体の外側に袖壁部と張出屋根部とを設けた建物の張出構造に関するものである。
【背景技術】
【０００２】
建物本体の外側に袖壁部を設け、意匠性の向上や目隠し、防風、防音等を図るようにした建物が知られている。また、袖壁部の上端部に張出屋根部（軒部）を一体的に連続させて設けた建物が知られている。袖壁部と張出屋根部とを有する建物として、例えば特許文献１のユニット式建物では、建物ユニットの骨組みに対して袖壁パネルを接合するとともに、その袖壁パネルの下部を基礎により支持する構成としている。そして、袖壁パネルの先端上部により屋根の軒先を支持する構成としている。
【先行技術文献】
【特許文献】
【０００３】
【特許文献１】特開２００８−１４４３９１号公報
【発明の概要】
【発明が解決しようとする課題】
【０００４】
しかしながら、上記のとおり袖壁パネルにより屋根の軒先を支持する構成では、張出屋根部である軒部を支持する上で袖壁パネルが必須であり、袖壁パネルが存在していないと軒部の構造強度が不十分になるおそれがある。そのため、軒部の下方において複数箇所に袖壁パネル（袖壁部）を設けることが必要となり、建物の張出構造として設計上の制約が生じるという不都合がある。
【０００５】
また、建物本体に袖壁部と張出屋根部とを設ける建物において、次のような不都合も考えられる。つまり、張出屋根部の軒先方向の一端部に袖壁部を連続して設ける構成を想定すると、袖壁部の両側面のうち一方には張出屋根部があり、他方には張出屋根部が無いといった構成となる。この場合、袖壁部において、張出屋根部のある側の側面と張出屋根部のない側の側面とで袖壁面材が設けられる範囲が相違する。要するに、張出屋根部のある側の側面では、張出屋根部が存在する高さ位置において袖壁面材が不要となるのに対し、張出屋根部のない側の側面では、張出屋根部が存在する高さ位置にも袖壁面材が必要となる。そのため、袖壁部に取り付ける袖壁面材として、どこも同サイズの袖壁面材を用いると、袖壁部の外壁面において横方向に延びる目地（袖壁面材同士の接合端部）ができ、それに起因して見栄えが損なわれるおそれがあった。
【０００６】
本発明は、上記事情に鑑みてなされたものであり、袖壁部の設置に関して設計上の制約が生じないようにし、しかも袖壁部と張出屋根部との相互の位置関係によらず袖壁面材を好適に取り付けることができる建物の張出構造を提供することを主たる目的とするものである。
【課題を解決するための手段】
【０００７】
以下、上記課題を解決するのに有効な手段等につき、必要に応じて作用、効果等を示しつつ説明する。
【０００８】
第１の発明は、
柱及び大梁からなる構造部を有する建物本体と、
前記建物本体から屋外側に張り出すように設けられる袖壁部と、
同じく前記建物本体から屋外側に張り出すように設けられる張出屋根部と、
を備え、前記張出屋根部が、前記袖壁部に連続しかつ前記袖壁部の側面のうち一側面から延びるように設けられている建物の張出構造であって、
前記張出屋根部は、前記構造部に対して片持ち状態で連結される屋根フレームを有し、この屋根フレームにより前記張出屋根部が支えられており、
前記袖壁部において、袖壁面材が取り付けられる下地となる袖壁フレームは、その上下方向において前記張出屋根部に連続する高さに設けられる上フレーム部と、その上フレーム部の下側に設けられる下フレーム部とを有しており、
前記屋根フレームに対して前記上フレーム部及び前記下フレーム部のいずれかが連結されており、
前記袖壁フレームにおいて、前記袖壁部の各側面のうち張出屋根部側の側面には、前記下フレーム部の上下方向の寸法に応じた縦寸法を有する前記袖壁面材が取り付けられるとともに、張出屋根部側でない側面には、前記上フレーム部及び前記下フレーム部の上下方向の寸法に応じた縦寸法を有する前記袖壁面材が取り付けられていることを特徴とする建物の張出構造。
【０００９】
上記構成では、張出屋根部は、建物本体の構造部に対して片持ち状態で連結される屋根フレームを有しており、この屋根フレームにより張出屋根部が支えられている。そのため、袖壁部により張出屋根部（軒部）が支持されている構成とは異なり、仮に袖壁部の存在がなくても、張出屋根部の構造強度を確保できる。ゆえに、袖壁部の設置位置や設置個数について設計上の自由度が増すこととなる。
【００１０】
また、屋根フレームに対して上フレーム部及び下フレーム部のいずれかが連結されており、その連結によって、構造部に対して袖壁部を固定することができる。
【００１１】
また、張出屋根部に連続して一体的に設けられる袖壁部において、張出屋根部が設けられる側と設けられない側とで袖壁面材の縦寸法を相違させる構成とした。つまり、袖壁フレームにおいて、袖壁部の各側面のうち張出屋根部側の側面には、下フレーム部の上下方向の寸法に応じた縦寸法を有する袖壁面材が取り付けられるとともに、張出屋根部側でない側面には、上フレーム部及び下フレーム部の上下方向の寸法に応じた縦寸法を有する袖壁面材が取り付けられる構成とした。この場合、袖壁部の各側面で必要となる袖壁面材の縦寸法が相違しても、その寸法の違いに対応させて袖壁面材を各々取り付けることができる。これにより、袖壁部の外壁面において、横方向に延びる目地（上下の袖壁面材同士の接合端）を無くす又は減らすことができ、目地によって見栄えが損なわれるといった不都合を抑制できる。
【００１２】
なお、袖壁面材として縦縞模様の意匠面を有する壁材を用いる場合には、横方向に延びる目地が存在するとそれが一層目立つことになる。この点、上記のとおり袖壁部の外壁面において、横方向に延びる目地（袖壁面材同士の接合端部）を無くしたので、縦縞模様の壁材を用いる場合にあっても、目地の存在による見栄えの低下を抑制できる。
【００１３】
以上により、袖壁部の設置に関して設計上の制約が生じないようにし、しかも袖壁部と張出屋根部との相互の位置関係によらず袖壁面材を好適に取り付けることができることとなる。
【００１４】
第２の発明は、
前記屋根フレームは、前記構造部における柱の仕口部分に片持ち状態で連結されていることを特徴とする。
【００１５】
屋根フレームを構造部における柱の仕口部分に連結することで、それ以外の、例えば屋根フレームを大梁に連結する構成に比べて、屋根フレームの支持強度を高めることができる。
【００１６】
第３の発明は、
前記下フレーム部の上面部が前記屋根フレームに連結されることで、前記袖壁フレームが前記建物本体に対して固定されていることを特徴とする。
【００１７】
下フレーム部の上面部が屋根フレームに連結される構成にすることで、屋根フレームと下フレーム部とを上下に並べて配置できる。そのため、例えば構造部の柱の外側に袖壁部を設けることで、屋根フレームと袖壁フレームとを共に柱外側に配置する必要が生じても、その配置を行う上で好都合な構成となる。
【００１８】
例えば、建物本体において出隅部分に袖壁部を設ける場合、構造部の柱の外側に袖壁部が設けられることとなるが、かかる構成において、屋根フレームと袖壁フレームとを共に柱外側（出隅部分）に配置することができる。
【００１９】
第４の発明は、
前記上フレーム部及び前記下フレーム部のいずれかには、当該フレーム部を前記屋根フレームに対して連結する連結部材が設けられており、
前記屋根フレームと前記連結部材とにそれぞれ挿通孔が形成され、その挿通孔に固定具が挿通されて前記屋根フレームに対して前記上フレーム部及び前記下フレーム部のいずれかが連結されており、
前記屋根フレーム及び前記連結部材の各挿通孔のうち少なくとも一方は、前記屋根フレームの張出方向が長手方向となる長孔となっていることを特徴とする。
【００２０】
袖壁フレームは、建物本体の構造部に対して直接組み付けられるのではなく、屋根フレームを介して組み付けられる。この場合、屋根フレームや袖壁フレームの各部で寸法誤差が生じると、建物本体に対して所望の位置に袖壁フレームを配置できないことが生じると考えられる。この点、上記構成によれば、屋根フレーム及び連結部材の各挿通孔のうち少なくとも一方が長孔になっているため、仮に寸法誤差が生じていても、相互の位置調整が可能となり、建物本体に対して所望の位置に袖壁フレームを組み付けることができる。
【００２１】
第５の発明は、
前記屋根フレームは、前記構造部から延びる一対の片持ち梁と、これら一対の片持ち梁の間に配置され、各片持ち梁の先端部に各々連結される連結梁とを有し、
前記一対の片持ち梁のうち一方の片持ち梁側に前記袖壁部が設けられているのに対し、他方の片持ち梁側には前記袖壁部が設けられていないことを特徴とする。
【００２２】
上記構成では、張出屋根部において張出屋根部の軒先方向に延びる屋根フレーム（連結梁）の一端側には袖壁部が設けられ、他端側には袖壁部が設けられていない。これにより、建物本体の外側において逆Ｌ字状の張出部が形成されている。この場合、上記のとおり張出屋根部は屋根フレーム自体により支持されているため、袖壁部の有無に関係なく張出屋根部の構造強度を確保でき、袖壁部の位置は任意となる。ゆえに、張出屋根部と袖壁部とを用いて建物の意匠性を向上させる場合において有利なものとなっている。
【００２３】
第５の発明は、
前記建物の屋根部は陸屋根であり、その陸屋根の一部として前記張出屋根部が設けられており、
前記陸屋根の周縁部に上方に突出してパラペットが設けられており、
前記上フレーム部は、前記パラペットの下地になるパラペット下地部を有していることを特徴とする。
【００２４】
上記構成によれば、屋根部のパラペット部分を含む範囲で、上下に一体の袖壁面材を取り付けることができる。これにより、屋根部を陸屋根とする建物について見栄えの向上を図ることができる。
【００２５】
第６の発明は、
前記建物本体は、複数の柱と、その柱の上下両端に連結された大梁とを有してなる複数の建物ユニットにより構成され、
前記袖壁部と前記張出屋根部とは、前記建物ユニットから屋外側に張り出すように設けられており、
前記屋根フレームは、前記建物ユニットの柱及び大梁のいずれかに片持ち状態で連結されていることを特徴とする。
【００２６】
建物ユニットは、それ自体高強度なラーメン構造を有している。そのため、建物ユニットの柱及び大梁のいずれかに屋根フレームを連結する構成とすれば、張出屋根部の構造強度を一層高めることができる。
【図面の簡単な説明】
【００２７】
【図１】建物の概略を示す斜視図。
【図２】建物ユニットの構成を示す斜視図。
【図３】二階袖壁部の主要な構成を分解して示す分解斜視図。
【図４】袖壁フレームを建物本体に取り付けた状態を示す斜視図。
【図５】図１におけるＡ−Ａ線断面図。
【図６】図５の構成を一部省略して示す断面図。
【図７】一階袖壁部の主要な構成を分解して示す分解斜視図。
【発明を実施するための形態】
【００２８】
以下、本発明を具体化した一実施形態を図面に基づいて説明する。本実施形態では、複数の建物ユニットにより構築される二階建てのユニット式建物での具体化を想定しており、ユニット式建物の外面に張出屋根部と袖壁部とからなる張出構造が設けられている。
【００２９】
まずは図１を用いて建物１０の概略を説明する。建物１０は、複数の建物ユニットからなる一階部１１と、同じく複数の建物ユニットからなる二階部１２とを有し、その二階部１２の上方には、フラットルーフ（陸屋根）タイプの屋根部１３が設けられている。屋根部１３には、その周縁部に上方に突出してパラペット１４が設けられている。屋根部１３の一部は、建物１０の一側面において二階部１２の外壁よりも外側に張り出しており、それが張出屋根部１５となっている。張出屋根部１５は軒部に相当し、屋根張出方向（建物外壁に直交する方向）が短辺、それに直交する軒先方向（建物外壁に平行となる方向）が長辺となる長尺状をなすものとなっている。
【００３０】
また、建物１０の外面において張出屋根部１５が設けられる外面側（張出面側）には、その張出屋根部１５の長手方向の一端部から鉛直方向に延びる袖壁部１６が設けられている。袖壁部１６は、基礎Ｋから張出屋根部１５までの範囲で設けられている。張出屋根部１５について袖壁部１６との位置関係で言えば、張出屋根部１５は、袖壁部１６に連続しかつ袖壁部１６の側面のうち一側面から延びるように設けられている。要するに、建物１０では、複数の建物ユニットからなる建物本体の外側に張出屋根部１５と袖壁部１６とが設けられており、これら張出屋根部１５と袖壁部１６とにより、建物１０の正面視において逆Ｌ字状の張出部が形成されている。
【００３１】
張出屋根部１５は、建物本体の一面（例えば正面側）において水平方向の一端側から他端側に延びる範囲で設けられており、袖壁部１６は、建物本体の出隅部分に設けられている。
【００３２】
建物ユニットについては周知であるが、その構成を簡単に説明する。図２に示す建物ユニット２０においては、その四隅に柱２１が配され、各柱２１の上端部及び下端部がそれぞれ４本の天井大梁２２、床大梁２３により連結されている。そして、それら柱２１、天井大梁２２及び床大梁２３により直方体状の骨格フレーム（構造部）が形成されている。柱２１は四角筒状の角形鋼よりなる。また、天井大梁２２及び床大梁２３は断面コ字状の溝形鋼よりなり、その開口部が向き合うようにして設置されている。
【００３３】
建物ユニット２０の長辺部（桁面）に沿って延びかつ相対する一対の天井大梁２２の間には、所定間隔で複数の天井小梁２５が架け渡されている。同じく建物ユニット２０の長辺部に沿って延びかつ相対する一対の床大梁２３の間には、所定間隔で複数の床小梁２６が架け渡されている。また、図示は省略するが、建物ユニット２０において建物１０の外壁部に相当する部位には、外壁面材と下地フレームとからなる外壁パネルが固定されている。
【００３４】
図２には、張出屋根部１５が設けられる建物ユニット２０を図示しており、柱２１の上端部分（仕口部分）には片持ち状態で屋根フレームとしての張出梁ユニット４３が固定されている。張出梁ユニット４３は、一対の片持ち梁４４と、これら一対の片持ち梁４４の間に配置され、各片持ち梁４４の先端部に各々連結された連結梁４５と、を有している。これら各梁４４，４５はいずれも溝形鋼よりなる。片持ち梁４４は、その長手方向の一端（基端部）が、建物ユニット２０における柱２１の仕口部分に設けられた固定金具４６（図３参照）に固定され、建物ユニット２０から水平方向外側に延びるようにして設けられている。本実施形態では、建物ユニット２０における２本の柱２１にそれぞれ片持ち梁４４が連結されている。
【００３５】
次に、袖壁部１６の詳細な構成を説明する。袖壁部１６は、一階部１１の建物ユニットの外側に取り付けられる一階袖壁部１６Ａと、二階部１２の建物ユニットの外側に取り付けられる二階袖壁部１６Ｂとから構成されている。ここでは、二階袖壁部１６Ｂについて詳しく説明する。図３は、二階袖壁部１６Ｂの主要な構成を分解して示す分解斜視図である。図４は、袖壁フレーム３１を建物本体に取り付けた状態を示す斜視図であり、そのうち（ａ）は袖壁フレーム３１に外壁面材４１を取り付けていない状態を示し、（ｂ）は袖壁フレーム３１に外壁面材４１を取り付けた状態を示している。また、図５は図１におけるＡ−Ａ線断面図であり、図６は図５の構成を一部省略して示す断面図である。
【００３６】
図３及び図４に示すように、二階袖壁部１６Ｂは、その概略構成として、二階袖壁部１６Ｂの下地を構成する袖壁フレーム３１と、その袖壁フレーム３１の外側に固定される複数の外壁面材４１（４１ａ，４１ｂ，４１ｃ）とを有している。そして、袖壁フレーム３１が張出梁ユニット４３を介して建物ユニットの柱２１に対して固定されることで、二階袖壁部１６Ｂが建物本体（二階部分の建物ユニット）に対して取り付けられている。
【００３７】
袖壁フレーム３１は、その上下方向において張出屋根部１５に連続する高さに設けられる上フレーム部３１ａと、その上フレーム部３１ａよりも下方となる下フレーム部３１ｂとを有している。これら各フレーム部３１ａ，３１ｂについて以下詳述する。
【００３８】
下フレーム部３１ｂは、上下方向に延びる一対の縦材３２と、その一対の縦材３２に架け渡して設けられる複数の横材３３とを有しており、縦材３２の下端部には底部材３４が固定され、上端部には天板部材３５が固定されている。そして、全体として縦長の略直方体状をなしている。縦材３２は、断面コ字状の溝形鋼よりなり、溝部が互いに向き合うように配置されている。縦材３２は、そのウエブ部の幅（フレーム幅）により袖壁部１６の壁厚み幅が規定されており、両縦材３２のフランジ部に、山形鋼（Ｌ形鋼）又は溝形鋼よりなる複数の横材３３が連結されている。
【００３９】
上フレーム部３１ａは、下フレーム部３１ｂの天板部材３５の上面に、上方に突出するようにして固定されている。上フレーム部３１ａは、溝形鋼からなる複数の鋼材が相互に連結されて構成されており、より具体的には、複数の縦材３６が天板部材３５の上面に溶接等により固定されるとともに、それら縦材３６の上端部同士が横材３７により連結されている。
【００４０】
上フレーム部３１ａは、下フレーム部３１ｂと共に外壁面材４１の取付下地面を形成するものであり、これら各フレーム部３１ａ，３１ｂの縦材３２，３６により上下に連続する連続面が形成されている。上フレーム部３１ａの縦材３６及び横材３７は、二階袖壁部１６Ｂにおいて張出屋根部１５の反対側、及び袖壁先端側の２つの側面に設けられており、これにより、上フレーム部３１ａは、上記の２側面に外壁面材４１の取付下地面を形成するものとなっている。
【００４１】
また、図４に示すように、上フレーム部３１ａは、建物ユニットへの取付状態で、上側の一部が建物ユニットよりも上方に突き出ており、その突出部分が、パラペット１４の下地になるパラペット下地部となっている。なお、図４では、建物本体（建物ユニット）の上方の屋根形成部分の構成を省略しているが、建物本体の上方には上フレーム部３１ａのパラペット下地部に連続して、別のパラペット下地部が設けられている。
【００４２】
袖壁フレーム３１には、その四方の側面のうち建物本体（建物ユニット）側の側面以外の３面に、外壁面材４１がそれぞれ取り付けられている。すなわち、外壁面材４１は、二階袖壁部１６Ｂにおいて内側（すなわち張出屋根部１５と袖壁部１６との入隅部側）に取り付けられる内側面材４１ａと、外側（すなわち入隅部とは反対側）に取り付けられる外側面材４１ｂと、袖壁部１６の壁先端部に取り付けられる先端面材４１ｃとからなる。このうち先端面材４１ｃは、短手方向の両端部に折れ曲がり部を有しており、断面コ字状をなしている。
【００４３】
３つの外壁面材４１ａ〜４１ｃのうち内側面材４１ａは、下フレーム部３１ｂの上下方向の寸法に応じた縦寸法を有しており、その縦寸法（上下方向の長さ）は底部材３４から天板部材３５までの長さと同じになっている。これに対し、外側面材４１ｂ及び先端面材４１ｃは、上下のフレーム部３１ａ，３１ｂが一体となった状態での上下方向の寸法に応じた縦寸法を有している。つまり、外側面材４１ｂ及び先端面材４１ｃは、内側面材４１ａよりも上下方向の長さが大きく、その縦寸法が底部材３４から上フレーム部３１ａの上端までの長さと同じになっている。
【００４４】
ここで、外壁面材４１ａ〜４１ｃは、いずれも同様の壁材よりなり、その外表面には縦縞模様が付されている。つまり、外表面には、縦方向に多数の溝又は突起が付されている。そして、袖壁フレーム３１における壁取付面である３面では、それぞれ上下方向に見て各１枚ずつの壁材が取り付けられるようになっている。
【００４５】
また、下フレーム部３１ｂにおいて天板部材３５の上面には、張出梁ユニット４３との連結を行うための連結部材としての連結金具３８が取り付けられている。連結金具３８は、所定間隔で複数箇所（本実施形態では２カ所）に設けられている。図５及び図６に示すように、連結金具３８は、天板部材３５の上面に当接した状態で取り付けられる取付板部３８ａと、その取付板部３８ａから鉛直方向に起立する起立板部３８ｂとを有しており、これら各板部３８ａ,３８ｂには挿通孔３８ｃ，３８ｄがそれぞれ設けられている。また、連結金具３８の取付相手である天板部材３５にも挿通孔３５ａが設けられている。そして、天板部材３５の上面に連結金具３８が載置され、各挿通孔３５ａ，３８ｃに固定具としてのボルトＢが螺着されることにより、天板部材３５の上面に連結金具３８が固定されている。
【００４６】
一方で、張出梁ユニット４３において片持ち梁４４には、その溝部側に、上下フランジに架け渡した状態で中間金具４８が固定されている。中間金具４８は、袖壁フレーム３１側の連結金具３８と同じ間隔で複数箇所（本実施形態では２カ所）に設けられている。また、中間金具４８には挿通孔４８ａが設けられている。
【００４７】
そして、建物本体（建物ユニット）に張出梁ユニット４３が固定された状態で、片持ち梁４４の中間金具４８に対して、袖壁フレーム３１側の連結金具３８が当接され、各挿通孔３８ｄ，４８ａに固定具としてのボルトＢが螺着される。これにより、張出梁ユニット４３に対して袖壁フレーム３１が連結されている。
【００４８】
ここで、連結金具３８の挿通孔３８ｄは、片持ち梁４４の張出方向が長手方向となる長孔となっている。そのため、片持ち梁４４に対する袖壁フレーム３１の相対位置（片持ち梁４４の長手方向における袖壁フレーム３１の位置）が、挿通孔３８ｄの長手寸法の範囲内で調整可能となっている。つまり、袖壁フレーム３１は、建物本体に対して直接組み付けられるのではなく、張出梁ユニット４３を介して組み付けられている。この場合、袖壁フレーム３１や張出梁ユニット４３の各部で寸法誤差が生じると、建物本体に対して所望の位置に袖壁フレーム３１を配置できないことが生じると考えられる。この点、連結金具３８の挿通孔３８ｄを長孔（片持ち梁４４の張出方向が長手方向となる長孔）としたため、仮に寸法誤差が生じていても、建物本体に対して所望の位置に袖壁フレーム３１を組み付けることができる。
【００４９】
なお、片持ち梁４４に対する袖壁フレーム３１の相対位置（片持ち梁４４の長手方向における袖壁フレーム３１の位置）を調整可能とするとの構成からすれば、各挿通孔３８ｄ，４８ａのうち挿通孔４８ａを長孔にする、又は両方の挿通孔３８ｄ，４８ａを長孔にするとの構成を採用することも可能である。
【００５０】
張出屋根部１５の構成を図５を用いて簡単に説明する。張出屋根部１５において、建物本体から延びる一対の片持ち梁４４の上には、それら両片持ち梁４４に架け渡すようにして、連結梁５５と同方向に延びる複数の屋根小梁（図示略）が設けられており、その屋根小梁の上に、屋根面の構成部材が設けられている。具体的には、屋根小梁の上に、野地板５１や断熱材５２、屋根シート５３等が積層状態で設けられている。断熱材５２は例えばポリスチレンフォームからなる硬質系断熱材である。屋根シート５３は例えば軟質ポリ塩化ビニル製シート（ＤＮシート）である。なお、符号５４は、屋根上の雨水等を排出するための排水ポート（排水桶）であり、符号５５は、排水ポート５４から外部への排水を行うための配水管である。また、符号５６は笠木である。
【００５１】
張出屋根部１５の骨組みである張出梁ユニット４３や屋根小梁等の下方には、軒天板５８が取り付けられている。軒天板５８は、図示しない軒天下地木に対してビス等により取り付けられている。また、二階袖壁部１６Ｂの外壁面材４１ａと軒天板５８との見切り（境界）部分には、その見切り部分を隠す見切り材５７が設けられている。張出屋根部１５の構成としてその他に、図３において図示を省略しているが、張出梁ユニット４３の外側には、袖壁部１６の先端壁面に連続する一連の外壁面を構成する外壁面材が取り付けられている。
【００５２】
次に、一階袖壁部１６Ａについて図７により簡単に説明しておく。一階袖壁部１６Ａは、一階袖壁部１６Ａの下地を構成する袖壁フレーム６１と、その袖壁フレーム６１の外側に固定される複数の外壁面材６２とを有している。袖壁フレーム６１は、概ね二階袖壁部１６Ｂにおける袖壁フレーム３１の下フレーム部３１ｂと同様の構成を有しており、一対の縦材６３と、複数の横材６４と、底部材６５と、天板部材６６とを有している。そして、袖壁フレーム６１の三方の側面に外壁面材６２がそれぞれ取り付けられている。袖壁フレーム６１の上端部には、溝形鋼よりなる梁部６７が一体的に設けられており、その梁部６７の一端が建物ユニットにおける柱２１の仕口部分に固定されることで、一階袖壁部１６Ａが建物本体（一階部分の建物ユニット）に対して取り付けられている。
【００５３】
袖壁フレーム６１は、基礎Ｋ（特に張出基礎部Ｋ’）の上に載置された状態で配置され、アンカーボルト等により張出基礎部Ｋ’に対して固定されている。そして、袖壁フレーム６１の上に、ブラケット（図示略）等を介して二階袖壁部１６Ｂの袖壁フレーム３１が連結されるようになっている。
【００５４】
張出屋根部１５及び袖壁部１６からなる張出部を構築する際には、以下の手順で施工作業が行われる。
【００５５】
先に複数の建物ユニットにより基礎Ｋ上に建物本体が構築される。そして、一階部１１に一階袖壁部１６Ａが設置される。このとき、一階袖壁部１６Ａは、少なくとも一面の外壁面材６２を除いて袖壁フレーム６１に外壁面材６２が取り付けられており、一階部１１への袖壁設置後に、未取付になっていた外壁面材６２が取り付けられる。なお、一階袖壁部１６Ａは、工場において、袖壁フレーム６１及び外壁面材６２（ただし一面を除く）を一体化した袖壁ユニットとして構築され、建物ユニットと共にトラック等により施工現場に搬送されるものとなっている（二階袖壁部１６Ｂも同様）。
【００５６】
その後、建物本体に対して張出梁ユニット４３が取り付けられる。このとき、建物ユニットには溶接等により固定金具４６が先付け（工場付け）されており、その固定金具４６に対して張出梁ユニット４３が取り付けられる。なお、トラック輸送による寸法制限がクリアされていれば、建物ユニットに対して張出梁ユニット４３を先付け（工場付け）しておくことも可能である。
【００５７】
その後、一階袖壁部１６Ａの上に二階袖壁部１６Ｂが設置される。つまり、二階袖壁部１６Ｂについて一階袖壁部１６Ａとの上下の連結がなされるとともに、張出梁ユニット４３に対する連結が行われる。このとき、二階袖壁部１６Ｂは、少なくとも一面の外壁面材４１（例えば外側面材４１ｂ）を除いて袖壁フレーム３１に外壁面材４１が取り付けられており、二階部１２への袖壁設置後に、未取付になっていた外壁面材４１（外側面材４１ｂ）が取り付けられる。
【００５８】
そして、上記のとおり袖壁部１６が構築された後、張出屋根部１５の各部構成が取り付けられる。この張出屋根部１５が完成することで、張出部が完成する。
【００５９】
以上詳述した本実施形態によれば、以下の優れた効果が得られる。
【００６０】
張出屋根部１５は、建物本体の建物ユニット（構造部）に対して片持ち状態で連結される張出梁ユニット４３を有しており、この張出梁ユニット４３により張出屋根部１５が支えられる構成とした。そのため、袖壁部により張出屋根部１５が支持されている構成とは異なり、仮に袖壁部の存在がなくても、張出屋根部１５の構造強度を確保できる。ゆえに、袖壁部の設置位置や設置個数について設計上の自由度が増すこととなる。
【００６１】
また、張出屋根部１５に連続して一体的に設けられる二階袖壁部１６Ｂにおいて、張出屋根部１５が設けられる側と設けられない側とで外壁面材４１の縦寸法を相違させる構成とした。この場合、二階袖壁部１６Ｂの各側面で必要となる外壁面材４１の縦寸法が相違しても、その寸法の違いに応じて外壁面材４１を各々取り付けることができる。これにより、二階袖壁部１６Ｂの外壁面において、横方向に延びる目地（外壁面材４１同士の接合端部）を無くすことができ、目地によって見栄えが損なわれるといった不都合を抑制できる。
【００６２】
特に本実施形態では、外壁面材４１が縦縞模様の意匠面を有するものであり、横方向に延びる目地が存在するとその目地が一層目立つことになる。この点、上記のとおり二階袖壁部１６Ｂの外壁面において、横方向に延びる目地（外壁面材４１同士の接合端部）を無くしたので、縦縞模様の壁材を用いる場合にあっても、目地の存在による見栄えの低下を抑制できる。
【００６３】
以上により、二階袖壁部１６Ｂの設置に関して設計上の制約が生じないようにし、しかも二階袖壁部１６Ｂと張出屋根部１５との相互の位置関係によらず外壁面材４１を好適に取り付けて、建物外観の見栄えの低下を抑制することができる。
【００６４】
張出梁ユニット４３は、建物ユニットにおける柱２１の仕口部分に片持ち状態で連結されるものとなっている。そのため、張出梁ユニット４３を天井大梁２２に連結する構成に比べて、張出梁ユニット４３の支持強度を高めることができる。こうして張出梁ユニット４３の支持強度が高まることにより、ひいては二階袖壁部１６Ｂの支持強度も高まることとなる。
【００６５】
ここで、建物ユニットの柱２１の外側に二階袖壁部１６Ｂを設けることにすると、張出梁ユニット４３と袖壁フレーム３１とを共に柱２１の外側に配置する必要が生じる。この点、下フレーム部３１ｂ（天板部材３５）の上面部を張出梁ユニット４３に連結する構成にすることで、張出梁ユニット４３と下フレーム部３１ｂとを上下に並べて配置でき、張出梁ユニット４３と袖壁フレーム３１とを共に柱２１の外側に配置する上で好都合な構成となる。
【００６６】
下フレーム部３１ｂと張出梁ユニット４３とを連結金具３８を介して連結する構成とし、その連結金具３８の挿通孔３８ｄを、張出梁ユニット４３の張出方向が長手方向となる長孔とした。これにより、張出梁ユニット４３に対する袖壁フレーム３１の取付位置を微調整することが可能となり、仮に袖壁フレーム３１や張出梁ユニット４３の各部で寸法誤差が生じていても、建物本体に対して所望の位置に袖壁フレーム３１を組み付けることができる。
【００６７】
張出梁ユニット４３において一対の片持ち梁４４のうち一方の片持ち梁４４側に袖壁部１６を設けているのに対し、他方の片持ち梁４４側には袖壁部１６を設けない構成とした。上記構成では、建物本体の外側において逆Ｌ字状の張出部が形成される。この場合、上記のとおり張出屋根部１５は張出梁ユニット４３により支持されているため、袖壁部１６の有無に関係なく張出屋根部１５の構造強度を確保でき、袖壁部１６の位置は任意となる。ゆえに、張出屋根部１５と袖壁部１６とを用いて建物の意匠性を向上させる場合において有利なものとなっている。
【００６８】
袖壁フレーム３１の上フレーム部３１ａは、パラペット１４の下地になるパラペット下地部を有している。したがって、袖壁フレーム３１では、屋根部１３のパラペット部分を含む範囲で、上下に一体の外壁面材４１を取り付けることができる。これにより、屋根部１３を陸屋根とする建物について見栄えの向上を図ることができる。
【００６９】
建物ユニット２０は、それ自体高強度なラーメン構造を有している。そのため、建物ユニット２０の柱２１に張出梁ユニット４３を連結する構成とすれば、張出屋根部１５の構造強度を一層高めることができる。
【００７０】
［他の実施形態］
本発明は上記実施形態の記載内容に限定されず、例えば次のように実施されてもよい。
【００７１】
・上記実施形態では、張出梁ユニット４３に下フレーム部３１ｂ（詳しくは天板部材３５）を連結することで、建物本体に対して袖壁フレーム３１を固定する構成としたが、これを変更し、張出梁ユニット４３に上フレーム部３１ａ（例えば縦材３６）を連結することで、建物本体に対して袖壁フレーム３１を固定する構成としてもよい。この場合、袖壁フレーム３１と張出梁ユニット４３とを連結する連結金具３８が、上フレーム部３１ａに設けられる。なお、連結金具３８を、上フレーム部３１ａと下フレーム部３１ｂとの両方に設けることも可能である。
【００７２】
・上記実施形態では、張出梁ユニット４３を、建物ユニットにおける柱２１の仕口部分に連結する構成としたが、これを変更してもよい。例えば、張出梁ユニット４３を、建物ユニットにおいて柱２１の仕口部分以外に連結したり、天井大梁２２に連結したりする構成でもよい。
【００７３】
・袖壁面材として、縦縞模様以外の外表面を有する壁材を用いてもよい。例えば、横縞模様の壁材を用いたり、縦横に延びる溝や突起を有する格子模様の壁材を用いたりしてもよい。又は、外表面に凹凸が無く無地の壁材を用いてもよい。これらいずれの場合にあっても、上記のとおり横方向に延びる目地がなくなれば、見栄えの向上が可能になるとともに、目地部分での止水作業が減り、施工性の向上が可能となる。
【００７４】
・上記実施形態では、二階建て建物の二階部分（最上階部分）の袖壁部について発明の適用例を説明したが、最上階以外に設けられる袖壁部に本発明を適用することも可能である。この場合、建物本体の外側に庇状に張り出す張出屋根部と、袖壁部とを一体化させて張出部を構成するようにしてもよい。例えば、一階部分に逆Ｌ字状の張出部を設ける場合、その張出部の袖壁フレームが、建物の基礎の上に載置されるとよい。
【００７５】
・上記実施形態では、張出屋根部の軒先方向の一端に袖壁部を設けることで、張出部を逆Ｌ字状に設けたが、これ以外に、張出屋根部の軒先方向の両端部に袖壁部を設けることで、張出部を門形状に設けるようにしてもよい。
【００７６】
・上記実施形態では、ユニット式建物について本発明を適用した具体例を説明したが、ユニット式建物以外の建物について本発明を適用することも可能である。例えば、鉄骨軸組工法の建物や、木造在来工法にて構築される建物について本発明を適用することが可能である。また、屋根の形態は、陸屋根以外に、傾斜屋根であってもよい。
【符号の説明】
【００７７】
１０…建物、１３…屋根部、１４…パラペット、１５…張出屋根部、１６…袖壁部、２０…建物ユニット、２１…柱、３１…袖壁フレーム、３１ａ…上フレーム部、３１ｂ…下フレーム部、３５ａ…挿通孔、３８…連結金具（連結部材）、３８ｄ…挿通孔、４１…外壁面材（袖壁面材）、４３…張出梁ユニット（屋根フレーム）、４４…片持ち梁、４５…連結梁、４８ａ…挿通孔、Ｂ…ボルト（固定具）、Ｋ…基礎。
【図１】
0005873369.tif 000002
【図２】
0005873369.tif 000003
【図３】
0005873369.tif 000004
【図４】
0005873369.tif 000005
【図５】
0005873369.tif 000006
【図６】
0005873369.tif 000007
【図７】
0005873369.tif 000008